(57)【要約】【課題】簡単且つ安価な構成により灯体の向きを固定および固定解除できる照明装置を提供することを課題とする。【解決手段】照明装置１００は、建物の天井に固定する化粧枠２２と、化粧枠２２に対して回動軸Ｐを中心に回動可能に設けた回動枠２４と、光軸Ｏに沿った方向に光を出射する発光部３２を有する灯体４０と、光軸Ｏが回動軸Ｐと平行になる第１の位置と光軸Ｏが回動軸Ｐに対して傾斜する第２の位置との間で灯体４０を回動枠２４に対して傾倒軸Qを中心に傾倒可能に支持した２枚の支持板６０と、回動枠２４の一部に当接して回動枠２４の化粧枠２２に対する回動を不可にする第１の状態、または回動枠２４の化粧枠２２に対する回動を可能にする第２の状態で、化粧枠２２に固定される板片８０と、を有する。【選択図】      図１
2020053126.tif 000002
【特許請求の範囲】
【請求項１】
被取付部に固定する固定部材と；
前記固定部材に対して回動軸を中心に回動可能に設けた回動部材と；
光軸方向に光を出射する光源を有する灯体と；
前記光軸が前記回動軸と平行になる第１の位置と前記光軸が前記回動軸に対して傾斜する第２の位置との間で前記灯体を前記回動部材に対して傾倒可能に支持した支持機構と；
前記回動部材の一部に当接して前記回動部材の前記固定部材に対する回動を不可にする第１の状態、または前記回動部材の前記固定部材に対する回動を可能にする第２の状態で、前記固定部材に固定される回動制御部材と；
を有する照明装置。
【請求項２】
前記回動制御部材は、前記固定部材に固定する固定部、および前記回動部材の前記回動軸に沿って前記固定部材と反対側の端面を押える押え部を有し、前記回動部材が前記固定部材から離れる方向へ移動することを防止する移動防止部材である、
請求項１の照明装置。
【請求項３】
前記回動制御部材は、前記第１の状態のとき、前記灯体を前記第１の位置から前記第２の位置へ傾倒させる方向と反対側で前記固定部材に固定され、前記第２の状態のとき、前記灯体を傾倒させる側で前記固定部材に固定される、
請求項１または請求項２の照明装置。
【請求項４】
前記灯体は、前記灯体を前記第１の位置から前記第２の位置へ傾倒させる方向と反対側の前記回動部材に対向した端部に遮光壁を有し、前記灯体を傾倒させる側の前記端部に前記回動部材を前記固定部材に対して回動させるために指を掛ける突起を有する、
請求項１の照明装置。
【発明の詳細な説明】
【技術分野】
【０００１】
本発明の実施形態は、例えば、建物の天井に取り付けるダウンライトなどの照明装置に関する。
【背景技術】
【０００２】
従来、建物の天井に取り付ける照明装置として、天井に設けた取付孔に埋設するダウンライトが知られている。ダウンライトは、取付孔に固定する化粧枠、および光源を有して天井裏に配置される灯体を有する。
【０００３】
ダウンライトの一例として、化粧枠（天井）に対して灯体を回動可能且つ傾倒可能に支持したユニバーサルダウンライトが知られている。ユニバーサルダウンライトは、照明光の出射方向を所望する方向に傾けることができ、壁などを照らすことができる。
【先行技術文献】
【特許文献】
【０００４】
【特許文献１】特開２０１８−７８００４号公報
【発明の概要】
【発明が解決しようとする課題】
【０００５】
ダウンライトは、通常、天井から床に向けて鉛直下方に照明光を照射する。これに対し、ユニバーサルダウンライトは、化粧枠に対する灯体の向きを変えて照明光の出射方向を傾けることができる。つまり、従来は、使用目的に応じて、灯体の向きを固定した固定式ダウンライトとユニバーサルダウンライトを使い分けている。
【０００６】
このように、従来は、一般的な固定式ダウンライトとユニバーサルダウンライトを別々に用意する必要があり、装置の製造コストおよび管理コストが高くなっていた。
【０００７】
よって、簡単且つ安価な構成により灯体の向きを固定および固定解除できる照明装置の開発が望まれている。
【課題を解決するための手段】
【０００８】
実施形態に係る照明装置は、被取付部に固定する固定部材と、固定部材に対して回動軸を中心に回動可能に設けた回動部材と、光軸方向に光を出射する光源を有する灯体と、光軸が回動軸と平行になる第１の位置と光軸が回動軸に対して傾斜する第２の位置との間で灯体を回動部材に対して傾倒可能に支持した支持機構と、回動部材の一部に当接して回動部材の固定部材に対する回動を不可にする第１の状態、または回動部材の固定部材に対する回動を可能にする第２の状態で、固定部材に固定される回動制御部材と、を有する。
【発明の効果】
【０００９】
実施形態によると、簡単且つ安価な構成により灯体の向きを固定および固定解除できる照明装置を提供することができる。
【図面の簡単な説明】
【００１０】
【図１】図１は、実施形態に係る照明装置を示す斜視図である。
【図２】図２は、図１の照明装置の枠体を示す分解斜視図である。
【図３】図３は、図２の枠体の要部を示す斜視図である。
【図４】図４は、図１の照明装置の灯体を示す分解斜視図である。
【図５】図５は、図１の照明装置の灯体を枠体に対して傾倒させた状態を示す要部の概略図である。
【図６】図６は、図１の照明装置の灯体を枠体と同軸に配置した状態を示す要部の概略図である。
【発明を実施するための形態】
【００１１】
照明装置１００は、建物の天井に固定する化粧枠２２と、化粧枠２２に対して回動軸Ｐを中心に回動可能に設けた回動枠２４と、光軸Ｏに沿った方向に光を出射する発光部３２を有する灯体４０と、光軸Ｏが回動軸Ｐと平行になる第１の位置と光軸Ｏが回動軸Ｐに対して傾斜する第２の位置（図１に示す位置）との間で灯体４０を回動枠２４に対して傾倒軸Qを中心に傾倒可能に支持した２枚の支持板６０と、回動枠２４の一部に当接して回動枠２４の化粧枠２２に対する回動を不可にする第１の状態、または回動枠２４の化粧枠２２に対する回動を可能にする第２の状態（図１の状態）で、化粧枠２２に固定される板片８０と、を有する。
【００１２】
以下、図面を参照しながら実施形態について詳細に説明する。  
図１に示すように、実施形態に係る照明装置１００は、枠体２０と、灯体４０と、２枚の支持板６０、６０（支持機構）と、Ｌ字状の板片８０（回動制御部材、移動防止部材）と、を有する。また、照明装置１００は、灯体４０の後述する光源モジュール３０（図３）と接続した図示しない電源装置を有する。本実施形態の照明装置１００は、例えば、建物の天井（被取付部）に設けた図示しない取付孔に取り付け可能なユニバーサルダウンライトである。なお、本実施形態の照明装置１００は、板片８０を付け替えることにより、灯体４０の光軸Ｏを回動軸Ｐと平行にした固定式のダウンライトとして使用することもできる。
【００１３】
以下の説明では、光源モジュール３０の発光部３２（光源）から出射される光の発光面３１と垂直な中心軸を光軸Ｏと称し、天井に固定した枠体２０の中心を通る鉛直方向に延びた軸を回動軸Ｐと称する。本実施形態の照明装置１００は、枠体２０を天井に固設しているとともに、支持板６０、６０を介して灯体４０を枠体２０に対して傾倒軸Qを中心に傾倒可能に支持している。よって、枠体２０の中心を通る回動軸Ｐに対し、灯体４０の光軸Ｏを傾けることができる。図１は、灯体４０を枠体２０に対して傾倒させた第２の位置に配置した状態を示す。
【００１４】
図２に示すように、枠体２０は、天井の取付孔に固定する略円筒形の化粧枠２２（固定部材）、および化粧枠２２に対して回動軸Ｐを中心に回動可能に取り付けた略円筒形の回動枠２４（回動部材）を有する。回動枠２４は、化粧枠２２の図示上端に重ねて配置される（図１）。化粧枠２２および回動枠２４は、回動軸Ｐに沿って同軸に取り付けられる。化粧枠２２および回動枠２４は、天井の取付孔よりわずかに小さい外径を有する。
【００１５】
化粧枠２２は、天井面（床側の面）に係合する円環状のフランジ部２２ａを軸方向の一端に有する。フランジ部２２ａの直径は、天井の取付孔の直径より大きい。また、化粧枠２２は、化粧枠２２を天井に固定するための３枚の固定バネ２１を備えている。化粧枠２２は、３枚の固定バネ２１とフランジ部２２ａの間に天井の壁を挟むことで天井に固定される。よって、回動枠２４および３枚の固定バネ２１は、天井裏に配置される。
【００１６】
３枚の固定バネ２１は、化粧枠２２の外周面にネジ２３（図２に１本のみ図示）により締結固定されている。化粧枠２２は、ネジ２３を螺合する３つのネジ孔を有する。各ネジ孔は、化粧枠２２の円筒部分の壁を貫通して設けられている。各固定バネ２１は、化粧枠２２の外周面に対して接線方向に延設された固定部２１ａと、固定部２１ａの先端側から化粧枠２２の径方向に一体に放射状に延設されたバネ部２１ｂと、を有する。３枚の固定バネ２１は、固定部２１ａが同じ方向に向く姿勢で化粧枠２２の周方向に等間隔で取り付けられている。
【００１７】
固定バネ２１は、固定部２１ａを化粧枠２２の外周面に近付ける方向に変形可能であるとともに、バネ部２１ｂを後述する灯体４０に近づく方向に変形可能である。このため、３枚の固定バネ２１を化粧枠２２よりわずかに大径な取付孔に挿通可能となっている。これら３枚の固定バネ２１を用いた化粧枠２２の取り付け方法については周知技術であるためその説明を省略する。
【００１８】
３枚の固定バネ２１は、上述したように、ネジ２３を用いて化粧枠２２に締結固定される。一方、回動枠２４は、化粧枠２２の上端内側に挿入配置される円筒部２５を有する。円筒部２５の外径は化粧枠２２の内径より小さい。円筒部２５の外周面には、化粧枠２２の内面に対向する円環状の溝２５ａが設けられている。この円環状の溝２５ａは、３枚の固定バネ２１を化粧枠２２に対して締結固定するためのネジ２３の先端をスライド可能に受け入れることができる幅および深さを有する。ネジ２３は、少なくとも化粧枠２２の壁厚を超える長さを有する。
【００１９】
つまり、化粧枠２２の上端から回動枠２４の円筒部２５を挿通配置して、３枚の固定バネ２１を化粧枠２２の外周面に締結固定すると、各ネジ２３の先端が化粧枠２２の内面から突出し、回動枠２４の円筒部２５に設けた溝２５ａ内に配置される。各ネジ２３を挿通する化粧枠２２のネジ孔および回動枠２４の円筒部２５に設けた溝２５ａの位置は、ネジ２３の先端が溝２５ａに入る位置に設計されている。
【００２０】
このため、円筒部２５を化粧枠２２の上端に挿入して、３枚の固定バネ２１を化粧枠２２に取り付けると、３本のネジ２３の先端が円筒部２５の溝２５ａ内に挿入される。この状態で、３本のネジ２３の先端が溝２５ａに沿って移動可能となり、回動枠２４が化粧枠２２に対して回動軸Ｐを中心に回動可能となる。上述したように、化粧枠２２は天井に固定されるため、回動枠２４は、天井に固定された化粧枠２２に対して回動軸Ｐを中心に回動可能となる。
【００２１】
回動枠２４は、化粧枠２２から離間した上端側に、２枚の支持板６０をそれぞれ傾倒可能に取り付けるための２つの略四角柱状の突出部分２８、２８を有する。２つの突出部分２８、２８は、回動枠２４の径方向に離間した位置で回動枠２４と一体に設けられている。２つの突出部分２８、２８は、回動枠２４の図示上端から回動軸Ｐと平行に上方に突出して設けられている。
【００２２】
また、回動枠２４の化粧枠２２から離間した略円環状の端面２４ａには、回動枠２４の化粧枠２２に対する回動を不可にする状態（第１の状態）のとき、板片８０に係合して板片８０の移動を規制する係合突起２７が突設されている。係合突起２７は、図１に示すように、灯体４０を枠体２０に対して傾けた際に、灯体４０と枠体２０の間の隙間が開く側の端面２４ａに設けられている。係合突起２７は、図１で左手前側の一方の突出部分２８との間で板片８０を挟む位置に設けられ、当該突出部分２８と協働して板片８０の周方向への移動を規制する。係合突起２７の大きさや形状などは任意に設定することができる。なお、係合突起２７は、回動枠２４の端面２４ａに１つだけ設けられており、図１のように灯体４０が枠体２０に対して傾いたときに両者間の隙間が狭くなる反対側の端面２４ａには突起物は無い。
【００２３】
板片８０は、回動枠２４の端面２４ａに係合部８１を係合した状態で化粧枠２２に固定される。板片８０は、回動枠２４が化粧枠２２から離れる方向に抜ける不具合を防止するための移動防止部材として機能する。また、板片８０は、回動枠２４の化粧枠２２に対する回動を可能にするとともに回動枠２４の化粧枠２２に対する回動を不可にする回動制御部材としても機能する。
【００２４】
図３に示すように、板片８０は、略矩形の金属板を略Ｌ字形に折り曲げた形状を有する。板片８０は、係合部８１（押え部）および固定部８２を有する。係合部８１は、回動枠２４の化粧枠２２から離間した端面２４ａに係合される。固定部８２は、化粧枠２２の外周面にネジ８４により締結固定される。固定部８２を化粧枠２２に固定する場合、ネジ８４を固定部８２の挿通孔８３に挿通し、化粧枠２２の外周面に設けたネジ孔８５に螺合する。
【００２５】
係合部８１の固定部８２に対する角度は、直角よりわずかに小さい鋭角に設定されている。このため、固定部８２を化粧枠２２の外周面に締結固定した状態で、係合部８１の先端が回動枠２４の端面２４ａに押し付けられる。これにより、回動枠２４を化粧枠２２の方向に押圧する力が端面２４ａに作用し、端面２４ａと係合部８１の間に摩擦力が作用する。
【００２６】
回動枠２４の化粧枠２２に対する回動を可能にする図２に示す状態（第２の状態）で、板片８０の固定部８２を化粧枠２２に固定すると、板片８０の係合部８１が回動枠２４の端面２４ａに沿って周方向にスライド移動可能となる。このとき、係合部８１の移動可能範囲は、回動枠２４の２つの突出部分２８、２８の間の範囲内に規定され、１８０°よりわずかに小さい角度範囲となる。なお、この状態で板片８０を化粧枠２２に固定した場合、回動枠２４が化粧枠２２から離れる方向に移動する不具合を防止することができることは言うまでもない。
【００２７】
一方、板片８０の係合部８１を回動枠２４の一方の突出部分２８と係合突起２７の間に配置した図３に示す状態（第１の状態）で板片８０の固定部８２を化粧枠２２の外周面に締結固定すると、回動枠２４の化粧枠２２に対する回動ができなくなる。つまり、化粧枠２２および回動枠２４を図３に示す回動位置に相対的に配置し、化粧枠２２の外周面に設けたネジ孔８５を上述した一方の突出部分２８と係合突起２７の間に対向させる。この状態で、板片８０を化粧枠２２に締結固定すると、板片８０の係合部８１が一方の突出部分２８と係合突起２７の間に係合し、回動枠２４の化粧枠２２に対する回動が不可となる。なお、この状態においても、板片８０は、回動枠２４が化粧枠２２から離れる方向に移動する不具合を防止するよう機能する。
【００２８】
化粧枠２２と回動枠２４の間には、図２に示すように、軸方向の一端側に収束した略円錐台形の筒状の反射板２６が配置されている。化粧枠２２は、反射板２６の拡開した開口縁に設けたフランジ部２６ａを載置する円環状の段部２２ｂをその内面に有する。つまり、化粧枠２２の段部２２ｂ上に反射板２６のフランジ部２６ａを載せて回動枠２４を取り付けることにより、反射板２６が化粧枠２２と回動枠２４の間に挟まれて取り付けられる。
【００２９】
また、回動枠２４の２つの突出部分２８、２８は、それぞれ、上端近くの互いに向かい合う内面側に凹所２８ａを有する。凹所２８ａ内には、図示しないワッシャおよびロックナット２９ｂ（図１）が収容配置される。凹所２８ａは、ロックナット２９ｂが回らないようロックナット２９ｂの外形にあわせた内面形状を有する。また、凹所２８ａは、ロックナット２９ｂや後述する回動ネジ２９ａの先端が凹所２８ａから内側に突出することのない深さを有する。言い換えると、回動ネジ２９ａの長さは、その先端が凹所２８ａから突出しない長さに設定されている。これにより、灯体４０から出射される光がロックナット２９ｂや回動ネジ２９ａに当たる不具合を抑制することができ、反射による迷光の発生を抑制することができる。
【００３０】
また、突出部分２８は、支持板６０を取り付けるための回動ネジ２９ａ（図１、３）を挿通する挿通孔２８ｂを有する。２つの突出部分２８に設けた挿通孔２８ｂは、同軸に配置されている。挿通孔２８ｂは、凹所２８ａに連通するよう突出部分２８を貫通して設けられている。回動ネジ２９ａおよび挿通孔２８ｂの中心が傾倒軸Ｑとなる。
【００３１】
また、突出部分２８は、その上端の外面側に、支持板６０の図示下端部分を収容配置する凹所１０を有する。回動ネジ２９ａを挿通する上述した挿通孔２８ｂは、この凹所１０に設けられている。凹所１０には、後述する第１の回動規制面１１および第２の回動規制面１２が設けられている。
【００３２】
回動枠２４に２枚の支持板６０を取り付ける場合、各突出部分２８の外面側の凹所１０内に各支持板６０の下端部分を重ねて配置し、支持板６０の挿通孔６５（図４参照）および突出部分２８の挿通孔２８ｂを同軸に配置する。そして、挿通孔６５および挿通孔２８ｂに回動ネジ２９ａを挿通し、突出部分２８の凹所２８ａ内に配置した図示しないワッシャに回動ネジ２９ａを通してロックナット２９ｂを螺合する。ロックナット２９ｂは、回動ネジ２９ａの途中で固定され、支持板６０が突出部分２８に対して回動可能に取り付けられる。
【００３３】
回動枠２４の突出部分２８の凹所１０にある第１の回動規制面１１および第２の回動規制面１２、および支持板６０の第１の当接面６１および第２の当接面６２は、支持板６０の回動枠２４に対する回動ネジ２９ａを中心とした回動位置を規制する。突出部分２８の第１の回動規制面１１および第２の回動規制面１２、および支持板６０の第１の当接面６１および第２の当接面６２については後に詳述する。
【００３４】
図４に示すように、灯体４０は、レンズ枠４２、レンズ４４、押えバネ４５、放熱器４６、および光源モジュール３０を有する。上述した支持板６０の図示上端は、ネジ６６を用いてレンズ枠４２に固定される。レンズ枠４２の外周面には、支持板６０を嵌め込む２つの凹所４３が設けられている。２つの凹所４３は、レンズ枠４２の径方向に離間対向して設けられている。凹所４３は、支持板６０の外形と同じ形に形成されており、支持板６０の表裏を間違えて取り付ける不具合を防止している。２つの凹所４３の底面は互いに平行な面である。
【００３５】
支持板６０をレンズ枠４２の凹所４３に取り付ける場合、支持板６０の表裏を凹所４３の形状に合わせて支持板６０を凹所４３に嵌め、支持板６０の挿通孔６７にネジ６６を挿通してレンズ枠４２の凹所４３のネジ孔５１に螺合する。これにより、支持板６０が正しい向きでレンズ枠４２に締結固定される。
【００３６】
以上のように、２枚の支持板６０を介してレンズ枠４２と回動枠２４を接続すると、レンズ枠４２（すなわち灯体４０）は、天井に固定した枠体２０に対し、回動軸Ｐを中心に水平方向に回動可能となるとともに、傾倒軸Ｑを中心に傾倒可能となる。
【００３７】
レンズ枠４２は、略円筒状の筒状部４２ａ、筒状部４２ａの図示下端から図示下方に突出した湾曲した遮光壁４２ｂ、遮光壁４２ｂの反対側に対向して設けた操作突起７０、および筒状部４２ａの図示上端から図示上方に突出した２つの突出板部４２ｃを一体に有する。２つの突出板部４２ｃは、レンズ枠４２の周方向に沿って上述した凹所４３と同じ位置に配置されている。遮光壁４２ｂおよび操作突起７０は、レンズ枠４２の周方向に沿って上述した凹所４３と９０°異なる位置にそれぞれ配置されている。
【００３８】
遮光壁４２ｂは、灯体４０を枠体２０に対して図１に示す状態に傾倒させたとき、灯体４０と枠体２０の間の隙間が開く側に設けられ、隙間から漏れる光を少なくするよう機能する。一方、遮光壁４２ｂより周方向の幅が狭い操作突起７０は、灯体４０を枠体２０に対して図１に示す方向に傾倒させた状態で、両者間の隙間が狭まる側に設けられている。
【００３９】
遮光壁４２ｂは、枠体２０を天井に固定した状態で灯体４０を図１に示す状態に傾ける際に、作業者が化粧枠２２および反射板２６の内側から手指を入れて押圧する操作部として機能する。一方、操作突起７０は、図１のように傾いた灯体４０を枠体２０と同軸に配置する際に、作業者が押圧する操作部として機能する。また、操作突起７０は、枠体２０を天井に固定した状態で灯体４０を枠体２０に対して回動軸Ｐを中心に回動させる際に、作業者が手指を引っ掛けるための突起として機能する。このため、操作突起７０は、指を引っ掛け易いように、周方向の幅が遮光壁４２ｂより狭くされている。
【００４０】
また、筒状部４２ａは、その内側にレンズ４４を保持している。レンズ４４は、その外周上に円環状のフランジ部４４ａを一体に有する。レンズ４４を筒状部４２ａに取り付ける場合、筒状部４２ａの図示上端側からレンズ４４を挿入する。そして、フランジ部４４ａを筒状部４２ａの内面に設けた図示しない円環状の段部上に載置する。さらに、フランジ部４４ａの図示上方（段部と反対側）から略円環状の押えバネ４５を筒状部４２ａ内に挿入して、押えバネ４５を筒状部４２ａの図示しない所定の溝内に固定する。これにより、レンズ４４のフランジ部４４ａを筒状部４２ａの内面に設けた段部と押えバネ４５により挟んで、レンズ４４をレンズ枠４２内に固定する。
【００４１】
この状態で、レンズ４４の光軸は灯体４０の光軸Ｏと重なる。レンズ４４は、筒状部４２ａの軸方向の長さよりわずかに大きい光軸方向の厚みを有する。レンズ４４は、光の入射側（図示上端側）に凹レンズ面を有する。レンズ４４は、光の出射側（図示下端側）に凸レンズ面を有する。
【００４２】
レンズ枠４２の上述した突出板部４２ｃは、筒状部４２ａの軸方向一端（図示上端）に放熱器４６を連結固定するための固定ネジ５２を挿通するための挿通孔５３を有する。放熱器４６は、レンズ枠４２の一端を塞ぐ略円板状のベース板４６ａを有する。ベース板４６ａの外周縁には、上述したレンズ枠４２の２つの突出板部４２ｃを嵌合するための２つの切欠き４６ｂが設けられている。２つの切欠き４６ｂは、レンズ枠４２の２つの突出板部４２ｃに対向して、ベース板４６ａの径方向に離間した位置に設けられている。
【００４３】
ベース板４６ａのレンズ枠４２と反対側の図示上面には、複数枚（本実施形態では５枚）の放熱フィン４６ｃが一体に立設されている。各放熱フィン４６ｃは、光軸Ｏに沿って互いに略平行に延設されている。放熱フィン４６ｃは、ベース板４６ａの上面から鉛直上方に延びている。
【００４４】
５枚の放熱フィン４６ｃのうち外側の２枚の放熱フィン４６ｃは、上述した切欠き４６ｂに対向してレンズ枠４２の２つの突出板部４２ｃが重なるボス部４６ｄを備えている。各ボス部４６ｄは、切欠き４６ｂに連続して、対応する外側の２枚の放熱フィン４６ｃの外側に一体に設けられている。各ボス部４６ｄには、突出板部４２ｃの挿通孔５３に挿通する固定ネジ５２を螺合するためのネジ穴４６ｅが設けられている。
【００４５】
放熱器４６をレンズ枠４２の図示上端に固定する場合、レンズ枠４２の２つの突出板部４２ｃを放熱器４６のベース板４６ａの切欠き４６ｂにそれぞれ嵌合し、各突出板部４２ｃの内側にボス部４６ｄを重ねる。このとき、放熱器４６のベース板４６ａの下面がレンズ枠４２の筒状部４２ａの上端に当接する。そして、２つの突出板部４２ｃの外側から挿通孔５３に固定ネジ５２をそれぞれ挿通し、ボス部４６ｄのネジ穴４６ｅに螺合して締結する。これにより、放熱器４６がレンズ枠４２の一端に固定される。
【００４６】
放熱器４６のベース板４６ａの図示下面には、光源モジュール３０が取り付けられている。光源モジュール３０は、ＬＥＤ（light emitting diode）などの図示しない複数の半導体発光素子を含む発光部３２（光源）を有し、発光部３２を基板３３の表面に設けた構造を有する。発光部３２は、天井面と平行な発光面３１を有し、この発光面３１の中心を通る発光面３１と垂直な軸が光軸Ｏとなる。発光部３２の光軸Ｏは、レンズ４４の光軸Ｏと一致する。発光部３２は、光軸Ｏを中心とした光を出射する。
【００４７】
また、放熱器４６は、図示しない電源装置から引き出された図示しない給電ケーブルを接続するための図示しないコネクタを収容配置した収容部（図示せず）を有する。この収容部は、カバー４７によって覆われている。カバー４７は、給電ケーブルを挿通するための孔４７ａを有する。なお、放熱フィン４６ｃの枚数は５枚に限定されず任意に変更可能である。
【００４８】
以下、枠体２０に対する灯体４０の傾倒角度を制御するための構成およびその作用について、図５および図６を参照して説明する。なお、以下の説明では、枠体２０と灯体４０を回動可能に接続した一方の支持板６０およびその周辺部材について代表して説明し、他方の構成部材に関する説明を省略する。
【００４９】
上述したように、灯体４０は、２枚の支持板６０、６０を介して枠体２０に対して傾倒可能に設けられている。図５は、天井に固定した枠体２０に対して灯体４０を傾けた第２の位置に灯体４０を配置した状態を示し、図６は、枠体２０に対して灯体４０を同軸にした第１の位置に灯体４０を配置した状態を示す。
【００５０】
図５に示すように灯体４０を第２の位置に回動させると、灯体４０の光軸Ｏが回動軸Ｐに対して傾斜され、発光部３２から出射された光が鉛直下方に対して傾斜した方向に向かって照射される。一方、図６に示すように灯体４０を第１の位置に回動させると、灯体４０の光軸Ｏが回動軸Ｐと重なり、発光部３２から出射された光が鉛直下方に向かって照射される。
【００５１】
灯体４０を支える枠体２０の突出部分２８は、第１の回動規制面１１、第２の回動規制面１２、および第３の回動規制面１３を有する。第１および第２の回動規制面１１、１２は、突出部分２８の外面側の凹所１０の図示下端縁に沿って並んで設けられている。第２の回動規制面１２は、枠体２０の回動軸Ｐと直交する平らな面であり、第１の回動規制面１１は、第２の回動規制面１２に対して傾斜した面である。具体的には、第１の回動規制面１１は、灯体４０が傾倒する方向と反対側の第２の回動規制面１２の端辺（図示右端辺）に連続して図示上方に傾斜した平らな面である。第３の回動規制面１３は、第２の回動規制面１２の図示左端辺に連続して回動軸Ｐと平行に図示下方に延びた平らな面である。
【００５２】
一方、支持板６０は、突出部分２８の第１の回動規制面１１に当接する第１の当接面６１、第２の回動規制面１２に当接する第２の当接面６２、および第３の回動規制面１３に当接する第３の当接面６３ａを有する。第３の当接面６３ａは、支持板６０の一部を突出させた補強部分６３に設けられている。第１乃至第３の当接面６１、６２、６３ａは、それぞれ、支持板６０の端面であり、支持板６０の表面と直交する面である。第１および第２の当接面６１、６２は、回動ネジ２９ａに対して灯体４０と反対側の支持板６０の端縁に設けられている。
【００５３】
補強部分６３は、支持板６０を図５に示す姿勢に回動させた状態で、鉛直下方に向けて突出する略矩形の板片である。補強部分６３の第３の当接面６３ａは、第２の当接面６２と直交する面である。補強部分６３の形状は図示のものに限定されず、任意に変更可能である。
【００５４】
第１および第２の当接面６１、６２の間には、切欠き部６４が設けられている。切欠き部６４は、支持板６０を回動させる際に突出部分２８の第１の回動規制面１１および／或いは第２の回動規制面１２に支持板６０が干渉しないように設けられている。仮に、切欠き部６４を設けない場合、第１の当接面６１と第２の当接面６２が交差する架空の線は、支持板６０の挿通孔６５の中心を通る中心線からずれた位置に配置される。
【００５５】
例えば、図５に示す第２の位置から図６に示す第１の位置に向けて灯体４０を図示時計回り方向に回動させると、支持板６０の第１の当接面６１が回動枠２４の突出部分２８の第１の回動規制面１１に当接し、灯体４０のそれ以上の回動を規制する。支持板６０の第１の当接面６１の角度は、第１の当接面６１を第１の回動規制面１１に当接させた状態で、灯体４０の光軸Ｏが枠体２０の回動軸Ｐと平行になる角度に形成されている。
【００５６】
一方、図６に示す第１の位置から図５に示す第２の位置に向けて灯体４０を図示反時計回り方向に回動させると、支持板６０の第２の当接面６２が回動枠２４の突出部分２８の第２の回動規制面１２に当接し、灯体４０のそれ以上の回動を規制する。支持板６０の第２の当接面６２の角度は、第２の当接面６２を第２の回動規制面１２に当接させた状態で、灯体４０の光軸Ｏが枠体２０の回動軸Ｐに対して傾斜する角度に形成されている。
【００５７】
言い換えると、支持板６０の第１の当接面６１と第２の当接面６２がなす角度は、突出部分２８の第１の回動規制面１１と第２の回動規制面１２がなす角度より、灯体４０の傾倒角度分だけ小さくされている。さらに言い換えると、突出部分２８の第１および第２の回動規制面１１、１２の角度を固定した場合、支持板６０の第１の当接面６１と第２の当接面６２のなす角度を調整することにより、灯体４０の枠体２０に対する傾倒角度を任意に変更することができる。
【００５８】
なお、灯体４０を図５に示す第２の位置に配置すると、支持板６０の図示下端近くから突出して設けた補強部分６３の第３の当接面６３ａが突出部分２８の第３の回動規制面１３に当接する。灯体４０を枠体２０と同軸に配置した図６の状態で第１の当接面６１と第１の回動規制面１１との間に作用する加重に対し、灯体４０を枠体２０に対して傾けた図５の状態で第２の当接面６２と第２の回動規制面１２との間に作用する加重の方が大きくなる。このため、図５に示す第２の位置に灯体４０を傾けたときに加重を受けるための補強部分６３を設けた。
【００５９】
また、灯体４０を第２の回動位置に配置した状態で、より強い加重を支持するため、支持板６０の第２の当接面６２の面積を第１の当接面６１の面積より大きくした。本実施形態では、支持板６０を１枚の金属板により形成したため、第２の当接面６２の傾倒軸Ｑと直交する方向の長さを第１の当接面６１の傾倒軸Ｑと直交する方向の長さより長くした。
【００６０】
以上のように、本実施形態によると、板片８０を化粧枠２２に取り付ける状態を変えることにより、照明装置１００を固定式ダウンライトとして使用することができ、且つユニバーサルダウンライトとして使用することができる。この際、必要な構成は板片８０だけであり、化粧枠２２に設けるネジ孔８５も１つのみである。なお、板片８０は、回動枠２４が化粧枠２２から離間する方向に移動することを規制する移動防止部材を兼ねている。よって、本実施形態によると、簡単且つ安価な構成により灯体４０の向きを固定および固定解除することができる。
【００６１】
また、本実施形態によると、灯体４０を枠体２０に対して傾倒可能な状態（図１の状態）にしてユニバーサルダウンライトとして使用する場合に、灯体４０の傾倒により枠体２０との間の隙間が狭くなる側に板片８０を設けるように、係合突起２７を位置決め配置した。つまり、灯体４０の傾倒により枠体２０との間の隙間が開く側の回動枠２４の端面２４ａに係合突起２７を設けた。これにより、ユニバーサルダウンライトとして使用するときに、光軸Ｏが傾斜して照明光が傾く側に板片８０が配置されることを防止することができ、板片８０で光が反射されてグレアを生じる不具合を防止することができる。
【００６２】
また、本実施形態によると、灯体４０が図１の状態に傾倒したとき、照明光が枠体２０との間の隙間から漏れにくくするため、灯体４０と枠体２０との間の隙間が開く側に遮光壁４２ｂを設けた。一方、本実施形態では、遮光壁４２ｂと反対側、すなわち灯体４０が傾倒した状態で枠体２０との間の隙間が狭くなる側に操作突起７０を設けた。枠体２０に対して灯体４０を回動させるために作業者の指を引っ掛ける突起として、例えば回動ネジ２９ａの先端をレンズ枠４２の突出部分２８の内側に突出させる方法も考えられる。しかし、照明光の照射経路上に突起物を設けた場合、突起物に光が反射して迷光を生じてしまうことが考えられる。よって、本実施形態では、レンズ枠４２を光軸Ｏ方向に延出した操作突起７０を設けた。
【００６３】
以上、本発明の実施形態を説明したが、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態は、発明の範囲や要旨に含まれるとともに、特許請求の範囲に記載された発明とその均等の範囲に含まれる。
【符号の説明】
【００６４】
１０…凹所、１１…第１の回動規制面、１２…第２の回動規制面、２０…枠体、２１…固定バネ、２２…化粧枠、２４…回動枠、２６…反射板、２７…係合突起、２８…突出部分、２９ａ…回動ネジ、３０…光源モジュール、３１…発光面、３２…発光部、４０…灯体、６０…支持板、６１…第１の当接面、６２…第２の当接面、７０…操作突起、８０…板片、８１…係合部、８２…固定部、１００…照明装置、Ｏ…光軸、Ｐ…回動軸、Ｑ…傾倒軸。
【図１】
2020053126.tif 000003
【図２】
2020053126.tif 000004
【図３】
2020053126.tif 000005
【図４】
2020053126.tif 000006
【図５】
2020053126.tif 000007
【図６】
2020053126.tif 000008